(57)【要約】【課題】番組録画中に番組と無関係な画像が挿入された場合に、その番組の再放送を録画予約可能とする。【解決手段】録画予約装置１は、番組の録画予約を行う録画予約部８と、録画予約された番組の放送波を受信して番組の映像を入力するチューナ部２と、入力された番組の映像を録画する録画部５と、録画部５に録画された番組の映像から所定の画素を抽出する画素抽出部９と、抽出した画素の分布パターンが所定のパターンの少なくとも一部と一致するか否かを判定するパターン判定部１０とを備える。パターン判定部１０により画素抽出部９で抽出された画素の分布パターンが所定のパターンの少なくとも一部と一致すると判定された場合、録画予約部８は、番組の再放送が有るか否かを判定し、再放送がある場合に、番組の再放送を録画予約する。【選択図】図１
2013251788.tif 000002
【特許請求の範囲】
【請求項１】
番組の録画予約を行う録画予約部と、該録画予約された番組の放送波を受信して該番組の映像を入力する受信部と、該入力された番組の映像を録画する録画部とを備えた録画予約装置であって、
前記録画部に録画された番組の映像から所定の画素を抽出する画素抽出部と、該抽出した画素の分布パターンが所定のパターンの少なくとも一部と一致するか否かを判定するパターン判定部とを備え、
該パターン判定部により前記画素抽出部で抽出された画素の分布パターンが所定のパターンの少なくとも一部と一致すると判定された場合、前記録画予約部は、前記番組の再放送が有るか否かを判定し、再放送がある場合に、前記番組の再放送を録画予約することを特徴とする録画予約装置。
【請求項２】
請求項１に記載の録画予約装置において、前記所定の画素は、予め定めた色相を持つ画素であることを特徴とする録画予約装置。
【請求項３】
請求項２に記載の録画予約装置において、前記所定のパターンは、予め定めた地図データであることを特徴とする録画予約装置。
【請求項４】
請求項３に記載の録画予約装置において、前記地図データは、所定のエリア全体を示す第１の地図データと、該エリアの一部を示す第２の地図データとからなり、前記パターン判定部は、前記画素抽出部により抽出された第１の色相を持つ画素の分布パターンが前記第１の地図データの少なくとも一部と一致するか否かを判定し、両者が一致する場合に、前記画素抽出部により抽出された第２の色相を持つ画素の分布パターンが前記第２の地図データの少なくとも一部と一致するか否かを判定することを特徴とする録画予約装置。
【請求項５】
請求項１に記載の録画予約装置において、前記所定の画素は、予め定めた輝度を持つ画素であることを特徴とする録画予約装置。
【請求項６】
請求項１に記載の録画予約装置において、前記所定の画素は、動きベクトルが０ベクトルの画素であることを特徴とする録画予約装置。
【請求項７】
録画予約された番組の放送波を受信して該番組の映像を入力する受信部と、該入力された番組の映像を録画する録画部とを備えた録画予約装置の録画予約方法であって、
前記録画部に録画された番組の映像から所定の画素を抽出する画素抽出ステップと、該抽出した画素の分布パターンが所定のパターンの少なくとも一部と一致するか否かを判定するパターン判定ステップと、該パターン判定ステップにて前記抽出した画素の分布パターンが所定のパターンの少なくとも一部と一致すると判定された場合、前記番組の再放送が有るか否かを判定し、再放送がある場合に、前記番組の再放送を録画予約する録画予約ステップとを備えたことを特徴とする録画予約方法。
【請求項８】
請求項７に記載の録画予約方法をコンピュータに実行させるためのプログラム。
【発明の詳細な説明】
【技術分野】
【０００１】
本発明は、録画予約装置、方法、およびプログラムに関し、より詳細には、番組の再放送を録画予約可能な録画予約装置、該装置による録画予約方法、およびプログラムに関する。
【背景技術】
【０００２】
従来、デジタル放送波を受信するテレビジョン受像機は、放送局から配信される番組情報を受信し、受信した番組情報から電子番組表を作成して一覧表示する機能を備えている。この電子番組表では、１週間分または２週間分の放送予定番組について、各番組の番組名、番組内容、および出演者等が各放送局のチャンネル毎に区分されて表示される。ユーザは電子番組表から所望の番組を選択して視聴することができる。
【０００３】
また、テレビジョン受像機と接続して、番組の録画を行うレコーダが普及しているが、このレコーダは、上記の電子番組表と連動し、電子番組表上でユーザが選択した番組を自動的に録画予約する機能を備えている。そして、このような自動録画予約機能を利用して録画した番組映像に何らかの不備があった場合に、同じ番組の再放送を録画予約する技術が種々提案されている。例えば、特許文献１には、録画中の画像乱れ／録画中断などの異常を、録画中の受信レベル／停電の有無を監視することにより検知し、異常が検知された場合に、同一番組の再放送を自動的に録画予約する技術が開示されている。
【０００４】
しかしながら、番組の録画中に、例えば、防災情報、注意報、警報や、臨時ニュースなどが報道され、これに伴い番組と無関係な画像が表示される場合がある。このような場合、録画中の受信レベルは正常であるため、上記特許文献１に記載の技術では、再放送の自動録画予約を行うことができない。
【０００５】
また、特許文献２には、電波状態の不良によらない録画不備、例えば、テロップ混入、緊急放送の割り込み、番組変更などを自動的に認識して、同一番組の再放送を録画予約できる技術が開示されている。この特許文献２に記載の技術によれば、ユーザがレコーダに「緊急放送」、「地震速報」などのキーワードを予め設定しておき、放送局から配信される番組情報のテキストデータの中に、設定したキーワードが含まれる場合に、録画不備と判断し、同一番組の再放送の録画予約を可能としている。
【先行技術文献】
【特許文献】
【０００６】
【特許文献１】特開２０００−３１２３２３号公報
【特許文献２】特開２００６−１２９２８１号公報
【発明の概要】
【発明が解決しようとする課題】
【０００７】
前述したように、番組録画中に地震等の災害が発生し、津波発生等の虞がある場合、番組映像中に、津波速報等の番組と無関係な画像が挿入されることがある。このような場合に、番組と無関係な画像を認識することができれば、録画不備と判定し、その番組の再放送を録画予約できると考えられる。しかしながら、上記特許文献２に記載の技術では、テキストデータのキーワード検索を前提としているため、このような番組と無関係な画像を認識することはできない。
【０００８】
本発明は、上述のような実情に鑑みてなされたもので、番組録画中に番組と無関係な画像が挿入された場合に、その番組の再放送を録画予約できる録画予約装置、該装置による録画予約方法、およびプログラムを提供することを目的とする。
【課題を解決するための手段】
【０００９】
上記課題を解決するために、本発明の第１の技術手段は、番組の録画予約を行う録画予約部と、該録画予約された番組の放送波を受信して該番組の映像を入力する受信部と、該入力された番組の映像を録画する録画部とを備えた録画予約装置であって、前記録画部に録画された番組の映像から所定の画素を抽出する画素抽出部と、該抽出した画素の分布パターンが所定のパターンの少なくとも一部と一致するか否かを判定するパターン判定部とを備え、該パターン判定部により前記画素抽出部で抽出された画素の分布パターンが所定のパターンの少なくとも一部と一致すると判定された場合、前記録画予約部は、前記番組の再放送が有るか否かを判定し、再放送がある場合に、前記番組の再放送を録画予約することを特徴としたものである。
【００１０】
第２の技術手段は、第１の技術手段において、前記所定の画素は、予め定めた色相を持つ画素であることを特徴としたものである。
【００１１】
第３の技術手段は、第２の技術手段において、前記所定のパターンは、予め定めた地図データであることを特徴としたものである。
【００１２】
第４の技術手段は、第３の技術手段において、前記地図データは、所定のエリア全体を示す第１の地図データと、該エリアの一部を示す第２の地図データとからなり、前記パターン判定部は、前記画素抽出部により抽出された第１の色相を持つ画素の分布パターンが前記第１の地図データの少なくとも一部と一致するか否かを判定し、両者が一致する場合に、前記画素抽出部により抽出された第２の色相を持つ画素の分布パターンが前記第２の地図データの少なくとも一部と一致するか否かを判定することを特徴としたものである。
【００１３】
第５の技術手段は、第１の技術手段において、前記所定の画素は、予め定めた輝度を持つ画素であることを特徴としたものである。
【００１４】
第６の技術手段は、第１の技術手段において、前記所定の画素は、動きベクトルが０ベクトルの画素であることを特徴としたものである。
【００１５】
第７の技術手段は、録画予約された番組の放送波を受信して該番組の映像を入力する受信部と、該入力された番組の映像を録画する録画部とを備えた録画予約装置の録画予約方法であって、前記録画部に録画された番組の映像から所定の画素を抽出する画素抽出ステップと、該抽出した画素の分布パターンが所定のパターンの少なくとも一部と一致するか否かを判定するパターン判定ステップと、該パターン判定ステップにて前記抽出した画素の分布パターンが所定のパターンの少なくとも一部と一致すると判定された場合、前記番組の再放送が有るか否かを判定し、再放送がある場合に、前記番組の再放送を録画予約する録画予約ステップとを備えたことを特徴としたものである。
【００１６】
第８の技術手段は、第７の技術手段における録画予約方法をコンピュータに実行させるためのプログラムである。
【発明の効果】
【００１７】
本発明によれば、録画映像の内容を解析して、番組と無関係な画像が挿入されたか否かを判定することができるため、番組録画中に、津波速報の画像などの番組と無関係な画像が挿入された場合に、その番組の再放送を録画予約することができる。
【図面の簡単な説明】
【００１８】
【図１】本発明の一実施形態に係る録画予約装置の構成例を示すブロック図である。
【図２】番組録画中に津波速報の画像が挿入されたときの画面例を示す図である。
【図３】パターン判定部による処理の一例を説明するための図である。
【図４】大津波警報の場合におけるパターン判定部による処理の一例を説明するための図である。
【図５】津波警報の場合におけるパターン判定部による処理の一例を説明するための図である。
【図６】津波注意報の場合におけるパターン判定部による処理の一例を説明するための図である。
【図７】記憶部に記憶される録画リストの構成例を示す図である。
【図８】本発明の録画予約装置による録画予約方法の一例を説明するためのフロー図である。
【図９】図８の処理１を説明するためのフロー図である。
【図１０】図８の処理２を説明するためのフロー図である。
【図１１】図８の処理３を説明するためのフロー図である。
【図１２】図８の処理４を説明するためのフロー図である。
【図１３】本発明の録画予約装置による録画予約方法の一例を説明するためのフロー図で、図８のフローの続きである。
【発明を実施するための形態】
【００１９】
以下、添付図面を参照しながら、本発明の録画予約装置、該装置による録画予約方法、およびプログラムに係る好適な実施の形態について説明する。
【００２０】
図１は、本発明の一実施形態に係る録画予約装置の構成例を示すブロック図で、図中、１は録画予約装置を示す。録画予約装置１は、例えば、ＨＤＤ（Hard Disk Drive）レコーダ、ＤＶＤ（Digital Versatile Disc）／ＢＤ（Blu-ray Disc）レコーダなどの記録再生装置として例示することができ、デジタル放送波を受信するチューナ部２と、リモコン等を介してユーザからの操作入力を受け付ける操作部３と、ＴＶ（テレビ）１１と接続しＴＶ１１の画面上にＯＳＤ（On Screen Display）画面等を表示させる表示制御部４と、番組映像を録画するＨＤＤなどの録画部５と、録画予約装置１の動作を制御する制御部６と、フラッシュメモリなどの半導体メモリからなる記憶部７と、番組の録画予約を行う録画予約部８とを備えさらに、後述する画素抽出部９、およびパターン判定部１０を備える。
【００２１】
図２は、番組録画中に津波速報の画像が挿入されたときの画面例を示す図である。図２（Ａ）は津波速報の画像が挿入されたときのＴＶ１１の画面例を示し、図２（Ｂ）は津波速報の画像を説明するための図である。図２（Ａ）に示すように、番組１１１を録画中に地震等の災害が発生し、地震による津波発生の虞がある場合、番組１１１を提供する放送局は、津波速報の画像を番組映像に挿入して送信する。これにより、周辺住人への避難喚起に役立てるようになっている。津波速報の画像は、図２（Ｂ）に示すように、例えば、日本全体の地図１１２と、津波速報の凡例１１３とを含む。
【００２２】
ここで、津波速報を分かり易く表示するために、主要な放送局では津波速報の配色や色調を統一して表示するように取り決めがなされている。図２（Ｂ）に例示するように、日本の沿岸地域が、大津波警報が発令された地域１１３ａと、津波警報が発令された地域１１３ｂと、津波注意報が発令された地域１１３ｃとの３つの地域に色分けして表示される。より具体的には、日本全体（陸地）の地図１１２をグレー（灰色）、周囲の海を濃い青色とし、大津波警報が発令された沿岸地域（大津波警報地域）１１３ａを紫色、津波警報が発令された沿岸地域（津波警報地域）１１３ｂを赤色、津波注意報が発令された沿岸地域（津波注意報地域）１１３ｃを黄色で表示し周期的に点滅するように定められている。
【００２３】
周知の通りＴＶ１１はＲＧＢの３原色を混色し各画素の色を再現する。このＲＧＢ信号はそれぞれ０〜２５５（２５６階調）で示されるが、日本全体（陸地）のグレーに対応する画素は、ＲＧＢがそれぞれ（１６６，１６６，１６６）あるいは（２１３，２１３，２１７）などで示される。また、海の濃い青色に対応する画素は、ＲＧＢがそれぞれ（２６，５６，１５６）あるいは（１８，２３，８４）あるいは（３８，３４，９７）などで示される。また、大津波警報地域１１３ａの紫色に対応する画素は、ＲＧＢがそれぞれ（２００，０，２５５）あるいは（２５５，０，２５５）などで示される。また、津波警報地域１１３ｂの赤色に対応する画素は、ＲＧＢがそれぞれ（２５５，４０，０）などで示される。また、津波注意報地域１１３ｃの黄色に対応する画素は、ＲＧＢがそれぞれ（２５０，２４５，０）などで示される。
【００２４】
本発明の主たる目的は、番組録画中に番組と無関係な画像が挿入された場合に、キーワード等によらず、その番組の再放送を録画予約できるようにすることにある。このための構成として、図１に示すように、録画予約装置１は、番組の録画予約を行う録画予約部８と、録画予約された番組の放送波を受信して番組の映像を入力する受信部に相当するチューナ部２と、入力された番組の映像を録画する録画部５と、録画部５に録画された番組の映像から所定の画素を抽出する画素抽出部９と、抽出した画素の分布パターンが所定のパターンの少なくとも一部と一致するか否かを判定するパターン判定部１０とを備える。そして、パターン判定部１０により画素抽出部９で抽出された画素の分布パターンが所定のパターンの少なくとも一部と一致すると判定された場合、録画予約部８は、番組の再放送が有るか否かを判定し、再放送がある場合に、番組の再放送を録画予約する。
【００２５】
ここで、分布パターンとは、連続フレームで構成された動画であり、所定のパターンであるテンプレートとは、複数フレームで構成された静止画である。
【００２６】
上記の所定の画素とは、例えば、予め定めた色相を持つ画素である。また、所定のパターンとは、例えば、予め定めた地図データである。前述の図２で説明したように、ある番組を録画中に地震等の災害が発生し、地震による津波発生の虞がある場合、番組を提供する放送局は、津波速報の画像を番組映像に挿入して送信する。この津波速報の画像にはグレーの“日本地図（陸地）”が含まれる。この場合、画素抽出部９は、録画部５に録画された番組映像の中から、グレーを示すＲＧＢ値を持つ画素、例えば、ＲＧＢがそれぞれ（１６６，１６６，１６６）あるいは（２１３，２１３，２１７）で示される画素を抽出する。そして、パターン判定部１０は、画素抽出部９で抽出されたグレー画素の分布パターンが所定のパターンの少なくとも一部と一致するか否かを判定する。これについて図３に基づき具体的に説明する。
【００２７】
図３は、パターン判定部１０による処理の一例を説明するための図である。図３（Ａ）に、画素抽出部９で抽出されたグレー画素の分布パターン２１を示す。また、記憶部７には、図３（Ｂ）に示す日本地図（陸地）が“テンプレートＰ１”（地図データ）として予め記憶されている。そして、パターン判定部１０は、図３（Ａ）の分布パターン２１と、図３（Ｂ）のテンプレートＰ１とを比較し、分布パターン２１がテンプレートＰ１の少なくとも一部と合致した場合に、“日本地図（陸地）”が挿入されていると判断することができる。なお、分布パターン２１とテンプレートＰ１とは必ずしも全ての形状が合致している必要はなく、例えば、東日本、西日本、北海道、九州などのあるエリアの形状が合致していれば、“日本地図（陸地）”が挿入されていると判定することができる。
【００２８】
上記において、パターン認識の一つの方法として、テンプレートマッチング法が知られている。つまり、画素抽出部９で抽出されたグレー画素の分布パターン２１と、記憶部７に記憶されているテンプレートＰ１とを比較し、これらの類似度に基づいて、両者の一致・不一致を判定する。具体的には、記憶部７に記憶されているテンプレートＰ１と比較可能なサイズ及び位置関係に変換（正規化）し、これら２つの画像間で対応点を探索する方法が挙げられる。また、画素抽出部９で抽出されたグレー画素の分布パターンを拡大あるいは縮小しながら、テンプレートＰ１と比較するようにしてもよい。なお、このようなパターン認識に係る技術は、公知の技術であるため、その方法について特に限定されるものではない。
【００２９】
次に、画素抽出部９で抽出されたグレー画素の分布パターン２１と、記憶部７に記憶されているテンプレートＰ１の少なくとも一部とが合致した場合、録画予約部８は、例えば、電子番組表等を検索することにより番組の再放送が有るか否かを判定し、再放送がある場合に、番組の再放送を録画予約する。
【００３０】
このように、本発明によれば、録画映像の内容を解析して、番組と無関係な画像（上記例では日本地図）が挿入されたか否かを判定することができるため、番組録画中に番組と無関係な画像が挿入された場合に、その番組の再放送を録画予約することができる。また、上記の例では、所定の画素として、予め定めた色相（本例ではグレー）を持つ画素を抽出するものとして説明したが、予め定めた輝度を持つ画素を抽出するようにしてもよい。また、上記の日本地図は静止画であるため、各画素の動きベクトルは０ベクトルになるものと考えられる。そこで、動きベクトルが０ベクトルの画素を抽出するようにしてもよい。
【００３１】
ここで、上記では、“日本地図（陸地）”を番組と無関係な画像としたが、番組によっては“日本地図（陸地）”が番組の一部として挿入される場合もある。この場合、番組映像に挿入された“日本地図（陸地）”が津波速報の画像なのか、あるいは、番組中の画像なのかを判定することができない。そこで、津波速報の画像の場合、日本地図全体がグレーで表示され、日本地図の沿岸部分、つまり、日本地図の輪郭が紫色（大津波警報），赤色（津波警報），黄色（津波注意報）のいずれか１つ以上の色で表示されることに着目し、日本地図全体に加え、日本地図の輪郭についてもテンプレートマッチングを行うことで、津波速報の画像を精度よく判定することができる。
【００３２】
具体的には、記憶部７に、日本地図全体を示す第１の地図データと、日本地図の輪郭を示す第２の地図データとを予め記憶しておく。パターン判定部１０は、画素抽出部９により抽出された第１の色相を持つ画素の分布パターンが第１の地図データの少なくとも一部と一致するか否かを判定し、両者が一致する場合に、画素抽出部９により抽出された第２の色相を持つ画素の分布パターンが第２の地図データの少なくとも一部と一致するか否かを判定する。具体的には、大津波警報が発令された場合、第１の色相は日本地図全体を示すグレー、第２の色相は大津波警報が発令された沿岸地域（輪郭）を示す紫色とすればよい。この場合、画素抽出部９は、録画部５に録画された番組映像の中から、グレーを示すＲＧＢ値を持つ画素を抽出し、さらに、紫色を示すＲＧＢ値を持つ画素を抽出する。
【００３３】
図４は、大津波警報の場合におけるパターン判定部１０による処理の一例を説明するための図である。図４（Ａ）に、画素抽出部９で抽出された紫色画素の分布パターン２２を示す。また、記憶部７には、図４（Ｂ）に示す日本地図の輪郭が“テンプレートＰ２”（第２の地図データ）として予め記憶されている。また、記憶部７には、図３（Ｂ）に示す日本地図全体が“テンプレートＰ１”（第１の地図データ）として記憶されている。
【００３４】
そして、パターン判定部１０は、まず、図３（Ａ）の分布パターン２１と、図３（Ｂ）のテンプレートＰ１とを比較し、分布パターン２１がテンプレートＰ１の少なくとも一部と合致した場合に、さらに、図４（Ａ）の分布パターン２２と、図４（Ｂ）のテンプレートＰ２とを比較し、分布パターン２２がテンプレートＰ２の少なくとも一部と合致するか否かを判定する。なお、分布パターン２２とテンプレートＰ２とは必ずしも全ての形状が合致している必要はなく、あるエリアの形状が合致していれば、大津波警報の画像が挿入されていると判定することができる。
【００３５】
このように、日本地図全体の画像パターンに加え、大津波警報特有の画像パターン、すなわち、紫色画素が日本地図の輪郭に沿って配置された画像パターンの有無を判定することにより、津波速報の画像が挿入されていると判断することができる。
【００３６】
次に、津波警報が発令された場合、第１の色相は日本地図全体を示すグレー、第２の色相は津波警報が発令された沿岸地域（輪郭）を示す赤色とすればよい。この場合、画素抽出部９は、録画部５に録画された番組映像の中から、グレーを示すＲＧＢ値を持つ画素を抽出し、さらに、赤色を示すＲＧＢ値を持つ画素を抽出する。
【００３７】
図５は、津波警報の場合におけるパターン判定部１０による処理の一例を説明するための図である。図５（Ａ）に、画素抽出部９で抽出された赤色画素の分布パターン２３を示す。また、記憶部７には、図５（Ｂ）に示す日本地図の輪郭が“テンプレートＰ２”（第２の地図データ）として予め記憶されている。また、記憶部７には、図３（Ｂ）に示す日本地図全体が“テンプレートＰ１”（第１の地図データ）として記憶されている。
【００３８】
そして、パターン判定部１０は、まず、図３（Ａ）の分布パターン２１と、図３（Ｂ）のテンプレートＰ１とを比較し、分布パターン２１がテンプレートＰ１の少なくとも一部と合致した場合に、さらに、図５（Ａ）の分布パターン２３と、図５（Ｂ）のテンプレートＰ２とを比較し、分布パターン２３がテンプレートＰ２の少なくとも一部と合致するか否かを判定する。なお、分布パターン２３とテンプレートＰ２とは必ずしも全ての形状が合致している必要はなく、あるエリアの形状が合致していれば、津波警報の画像が挿入されていると判定することができる。
【００３９】
このように、日本地図全体の画像パターンに加え、津波警報特有の画像パターン、すなわち、赤色画素が日本地図の輪郭に沿って配置された画像パターンの有無を判定することにより、津波速報の画像が挿入されていると判断することができる。
【００４０】
次に、津波注意報が発令された場合、第１の色相は日本地図全体を示すグレー、第２の色相は津波注意報が発令された沿岸地域（輪郭）を示す黄色とすればよい。この場合、画素抽出部９は、録画部５に録画された番組映像の中から、グレーを示すＲＧＢ値を持つ画素を抽出し、さらに、黄色を示すＲＧＢ値を持つ画素を抽出する。
【００４１】
図６は、津波注意報の場合におけるパターン判定部１０による処理の一例を説明するための図である。図６（Ａ）に、画素抽出部９で抽出された黄色画素の分布パターン２４を示す。また、記憶部７には、図６（Ｂ）に示す日本地図の輪郭が“テンプレートＰ２”（第２の地図データ）として予め記憶されている。また、記憶部７には、図３（Ｂ）に示す日本地図全体が“テンプレートＰ１”（第１の地図データ）として記憶されている。
【００４２】
そして、パターン判定部１０は、まず、図３（Ａ）の分布パターン２１と、図３（Ｂ）のテンプレートＰ１とを比較し、分布パターン２１がテンプレートＰ１の少なくとも一部と合致した場合に、さらに、図６（Ａ）の分布パターン２４と、図６（Ｂ）のテンプレートＰ２とを比較し、分布パターン２４がテンプレートＰ２の少なくとも一部と合致するか否かを判定する。なお、分布パターン２４とテンプレートＰ２とは必ずしも全ての形状が合致している必要はなく、あるエリアの形状が合致していれば、津波注意報の画像が挿入されていると判定することができる。
【００４３】
このように、日本地図全体の画像パターンに加え、津波注意報特有の画像パターン、すなわち、黄色画素が日本地図の輪郭に沿って配置された画像パターンの有無を判定することにより、津波速報の画像が挿入されていると判断することができる。
【００４４】
なお、上記の例では、大津波警報、津波警報、津波注意報の各画像パターンについて個別に判定しているが、実際にはどの警報が発令されるか分からないため、大津波警報、津波警報、津波注意報の全てについて画像パターンの判定を行うことが望ましい。
【００４５】
図７は、記憶部７に記憶される録画リストの構成例を示す図である。録画リストは、記憶部７に記憶され、録画予約部８により管理されている。また、録画リストには、各録画番組について、チャンネル、録画日時、番組内容に加え、さらに、録画した番組映像の解析結果（映像内容）、同一番組の再放送の録画予約の状態（再録画予約）が登録されている。録画予約装置１はユーザのリモコン操作に従って録画リストをＴＶ１１の画面上に表示させることができる。ユーザは録画リストを表示させることで、各録画番組がどのような状態にあるのか容易に確認することができる。
【００４６】
図７の録画リストの場合、Ｎｏ１の録画番組は、番組と無関係な画像（例えば、津波速報の画像）が挿入されておらず、録画に成功した番組である。Ｎｏ２の録画番組は、番組と無関係な画像が挿入されており、録画不備の番組であるが、再放送の予定がない番組である。Ｎｏ３の録画番組は、番組と無関係な画像が挿入されており、録画不備の番組であるが、再放送の予定があり、再放送の録画予約がなされている番組である。Ｎｏ３の録画番組の場合、再放送の録画が完了すると、録画リストが更新される。つまり、再放送について、録画した番組映像の解析結果（映像内容）、同一番組の再放送の録画予約の状態（再録画予約）が登録される。なお、再放送の有無は、同一番組を電子番組表から検索できたか否かで判定することができる。
【００４７】
図８〜図１３は、本発明の録画予約装置１による録画予約方法の一例を説明するためのフロー図である。まず、図８において、録画予約装置１は、パターンマッチングに係るパラメータ（Ｆｌａｇ＝０，Ａ＝０，Ｂ＝０，Ｃ＝０，Ｄ＝０）を初期化し（ステップＳ１）、録画部５に番組の録画を開始する（ステップＳ２）。そして、録画予約装置１は、図９で説明する処理１を実行する（ステップＳ３）。
【００４８】
図９は、図８の処理１を説明するためのフロー図である。録画予約装置１は、録画映像からＡ色調（例えば、グレー）の画素を抽出し（ステップＳ１１）、抽出したＡ色調の画素の分布パターンが記憶部７に記憶されているテンプレートＰ１の少なくとも一部と合致するか否かを判定する（ステップＳ１２）。両者が合致すると判定した場合（ＹＥＳの場合）、パラメータＡ＝１とする（ステップＳ１３）。また、ステップＳ１２において、両者が合致しないと判定した場合（ＮＯの場合）、そのまま終了し、図８のステップＳ４に移行する。
【００４９】
図８において、録画予約装置１は、パラメータＡ＝１であるか否かを判定し（ステップＳ４）、パラメータＡ＝１でないと判定した場合（ＮＯの場合）、ステップＳ１０に移行する。また、パラメータＡ＝１であると判定した場合（ＹＥＳの場合）、図１０で説明する処理２を実行する（ステップＳ５）。
【００５０】
図１０は、図８の処理２を説明するためのフロー図である。録画予約装置１は、録画映像からＢ色調（例えば、紫色）の画素を抽出し（ステップＳ２１）、抽出したＢ色調の画素の分布パターンが記憶部７に記憶されているテンプレートＰ２の少なくとも一部と合致するか否かを判定する（ステップＳ２２）。両者が合致すると判定した場合（ＹＥＳの場合）、パラメータＢ＝１とする（ステップＳ２３）。また、ステップＳ２２において、両者が合致しないと判定した場合（ＮＯの場合）、そのまま終了し、図８のステップＳ６に移行し、図１１で説明する処理３を実行する。
【００５１】
図１１は、図８の処理３を説明するためのフロー図である。録画予約装置１は、録画映像からＣ色調（例えば、赤色）の画素を抽出し（ステップＳ３１）、抽出したＣ色調の画素の分布パターンが記憶部７に記憶されているテンプレートＰ２の少なくとも一部と合致するか否かを判定する（ステップＳ３２）。両者が合致すると判定した場合（ＹＥＳの場合）、パラメータＣ＝１とする（ステップＳ３３）。また、ステップＳ３２において、両者が合致しないと判定した場合（ＮＯの場合）、そのまま終了し、図８のステップＳ７に移行し、図１２で説明する処理４を実行する。
【００５２】
図１２は、図８の処理４を説明するためのフロー図である。録画予約装置１は、録画映像からＤ色調（例えば、黄色）の画素を抽出し（ステップＳ４１）、抽出したＤ色調の画素の分布パターンが記憶部７に記憶されているテンプレートＰ２の少なくとも一部と合致するか否かを判定する（ステップＳ４２）。両者が合致すると判定した場合（ＹＥＳの場合）、パラメータＤ＝１とする（ステップＳ４３）。また、ステップＳ４２において、両者が合致しないと判定した場合（ＮＯの場合）、そのまま終了し、図８のステップＳ８に移行する。
【００５３】
図８において、録画予約装置１は、パラメータＢ＝１またはＣ＝１またはＤ＝１であるか否かを判定し（ステップＳ８）、パラメータＢ＝１またはＣ＝１またはＤ＝１であると判定した場合（ＹＥＳの場合）、番組と無関係な画像が挿入されているため、パラメータＦｌａｇ＝１とする（ステップＳ９）。また、パラメータＢ＝１またはＣ＝１またはＤ＝１ではないと判定した場合（ＮＯの場合）、ステップＳ１０に移行する。
【００５４】
次に、録画予約装置１は、番組の録画が終了したか否かを判定し（ステップＳ１０）、録画終了していないと判定した場合（ＮＯの場合）、ステップＳ３に戻り処理を繰り返す。また、ステップＳ１０において、録画終了したと判定した場合（ＹＥＳの場合）、図１３のステップＳ５１に移行する。
【００５５】
図１３は、図８のフローの続きである。録画予約装置１は、番組の録画が終了したと判定した場合（ステップＳ１０でＹＥＳの場合）、パラメータＦｌａｇ＝１であるか否かを判定する（ステップＳ５１）。パラメータＦｌａｇ＝１ではないと判定した場合（ＮＯの場合）、番組と無関係な画像は挿入されていないため、そのまま終了する。また、ステップＳ５１において、パラメータＦｌａｇ＝１であると判定した場合（ＹＥＳの場合）、番組と無関係な画像が挿入されているため、図７の録画リストへ番組の映像内容の状態を反映させる（ステップＳ５２）。そして、電子番組表などを用いて同一番組の再放送の予定があるか否かを判定し（ステップＳ５３）、再放送の予定があると判定した場合（ＹＥＳの場合）、再録画予約を設定し（ステップＳ５４）、図７の録画リストへ再録画予約の状態を反映させる（ステップＳ５５）。また、ステップＳ５３において、再放送の予定がないと判定した場合（ＮＯの場合）、ステップＳ５５に移行し、図７の録画リストへ再録画予約なしとして登録する。
【００５６】
ここで、本発明は、上記の録画予約方法をコンピュータに実行させるためのプログラムの形態としてもよい。このプログラムは、録画予約装置１の録画部５あるいは記憶部７に格納されており、実行時に制御部６のＣＰＵによりＲＡＭに読み出され、ＲＡＭ上でプログラムが実行される。
【００５７】
なお、これまで日本地図および津波速報の画像を例示して説明したが、日本地図に限らず、例えば、都道府県別の地図や、関東地方，東北地方などの地方別の地図を用いるようにしてもよい。また、津波速報の画像に限らず、他の配色や色調を有する警告表示の画像を用いるようにしてもよい。
【符号の説明】
【００５８】
１…録画予約装置、２…チューナ部、３…操作部、４…表示制御部、５…録画部、６…制御部、７…記憶部、８…録画予約部、９…画素抽出部、１０…パターン判定部、１１…ＴＶ（テレビ）。
【図１】
2013251788.tif 000003
【図２】
2013251788.tif 000004
【図３】
2013251788.tif 000005
【図４】
2013251788.tif 000006
【図５】
2013251788.tif 000007
【図６】
2013251788.tif 000008
【図７】
2013251788.tif 000009
【図８】
2013251788.tif 000010
【図９】
2013251788.tif 000011
【図１０】
2013251788.tif 000012
【図１１】
2013251788.tif 000013
【図１２】
2013251788.tif 000014
【図１３】
2013251788.tif 000015